(57)【特許請求の範囲】
【請求項１】
筐体の開口部から前記筐体の外部に面して配置された熱交換器を備える冷凍サイクル装置の室外機を梱包する、冷凍サイクル装置の室外機の梱包体において、
前記開口部を覆って配置される矩形の熱交換器保護板を備え、
前記熱交換器保護板は、
当該熱交換器保護板の第１端縁から突出する第１の挿入片と、
前記第１端縁に対向して位置する第２端縁から突出する第２の挿入片と、
前記第２端縁に設けられ、当該熱交換器保護板を貫通し前記第２端縁から前記第１端縁に向かう第１方向に沿って形成された少なくとも１つの切り込みと、
前記第１端縁と前記第２端縁との間において前記第１方向に交差して形成され、当該熱交換器保護板を折り曲げるための折り込み構造と、を備える、冷凍サイクル装置の室外機の梱包体。
【請求項２】
前記第１の挿入片の先端から前記第２端縁までの幅は、
前記開口部の上下方向の幅よりも大きい、請求項１に記載の冷凍サイクル装置の室外機の梱包体。
【請求項３】
前記第２端縁から突出する第３の挿入片を更に備え、
前記切り込みは、
前記第２の挿入片と前記第３の挿入片との間に２箇所設けられている、請求項１又は２に記載の冷凍サイクル装置の室外機の梱包体。
【請求項４】
前記折り込み構造は、
２箇所に設けられている前記切り込みの端部同士を繋いで形成されている、請求項３に記載の冷凍サイクル装置の室外機の梱包体。
【発明の詳細な説明】
【技術分野】
【０００１】  本発明は、冷凍サイクル装置の室外機の梱包体に関し、特に冷凍サイクル装置の室外機の熱交換器を保護する部材の構造に関する。
【背景技術】
【０００２】  従来の技術において、冷凍サイクル装置の室外機を保管時及び搬送時等において保護する梱包体が知られている。梱包体は、冷凍サイクル装置の室外機の天面を上側から覆う天面緩衝材と、天面緩衝材を外側から覆う天面部外装部材と、底面を下側から覆う底面緩衝材と、底面緩衝材を外側から覆う底面部外装部材を備える。冷凍サイクル装置の室外機は、開口部に筐体の外部に露出している熱交換器を備える。この熱交換器を保護する為に、冷凍サイクル装置の室外機の開口部を覆う様に保護板が設けられている。冷凍サイクル装置の室外機が梱包されている状態において、保護板は、上端が天面緩衝材と天面部外装部材の間に配置され、下端が底面緩衝材と底面部外装部材の間に設置することで固定される（例えば、特許文献１参照）。
【先行技術文献】
【特許文献】
【０００３】
【特許文献１】特開２００３−２３９０号公報
【発明の概要】
【発明が解決しようとする課題】
【０００４】  従来技術において熱交換器を保護する保護板は、天面部外装部材及び底面部外装部材の少なくとも一方を取り外すと、冷凍サイクル装置の室外機に固定することが出来ない。そのため、天面部外装部材及び底面部外装部材を外した後に運搬や据付作業した際に、熱交換器に物や作業者が接触し、熱交換器の構成部材が変形してしまうおそれがあった。【０００５】  本発明の目的は、天面部外装部材及び底面部外装部材を取り外した後でも冷凍サイクル装置の室外機の熱交換器を保護することができる冷凍サイクル装置の室外機の梱包体を提供することにある。
【課題を解決するための手段】
【０００６】
本発明に係る冷凍サイクル装置の室外機の梱包体は、筐体の開口部から前記筐体の外部に面して配置された熱交換器を備える冷凍サイクル装置の室外機を梱包する、冷凍サイクル装置の室外機の梱包体において、前記開口部を覆って配置される矩形の熱交換器保護板を備え、前記熱交換器保護板は、当該熱交換器保護板の第１端縁から突出する第１の挿入片と、前記第１端縁に対向して位置する第２端縁から突出する第２の挿入片と、前記第２端縁に設けられ、当該熱交換器保護板を貫通し前記第２端縁から前記第１端縁に向かう第１方向に沿って形成された少なくとも１つの切り込みと、前記第１端縁と前記第２端縁との間において前記第１方向に交差して形成され、当該熱交換器保護板を折り曲げるための折り込み構造と、を備える。
【発明の効果】
【０００７】  本発明によれば、熱交換器保護板の上部挿入片を天面パネルと熱交換器との間に、製品挿入片を底板と熱交換器との間に挿入できる。上記により、上下梱包を外した状態でも、熱交換器保護板を冷凍サイクル装置の室外機の筐体の開口部に固定できるように構成されており、梱包体を外した後に冷凍サイクル装置の室外機の運搬や据付作業をする際に、熱交換器に物や作業者が接触して変形させてしまうのを抑制できる。
【図面の簡単な説明】
【０００８】
【図１】実施の形態１による冷凍サイクル装置の室外機の梱包体を示す斜視図である。
【図２】実施の形態１に係る冷凍サイクル装置の室外機の梱包体の分解斜視図である。
【図３】実施の形態１に係る冷凍サイクル装置の室外機の梱包体の断面構造の説明図である。
【図４】実施の形態１に係る熱交換器保護板の単品図である。
【図５】実施の形態１に係る熱交換器保護板の筐体への取り付け手順を示す図である。
【図６】実施の形態１に係る熱交換器保護板を筐体に取り付けた状態の正面図である。
【図７】熱交換器保護板を取り付けた状態の冷凍サイクル装置の室外機の筐体の断面構造の説明図である。
【図８】図７のＢ部の拡大図である。
【図９】図７のＣ部の拡大図である。
【図１０】実施の形態２に係る熱交換器保護板の単品図である。
【図１１】実施の形態２に係る熱交換器保護板を筐体に取り付けた状態の正面図である。
【発明を実施するための形態】
【０００９】  以下に、冷凍サイクル装置の室外機の梱包体の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１０】  実施の形態１．  図１は、実施の形態１による冷凍サイクル装置の室外機の梱包体１００を示す斜視図である。図２は、実施の形態１に係る冷凍サイクル装置の室外機の梱包体１００の分解斜視図である。図１に示された冷凍サイクル装置の室外機の梱包体１００は、冷凍サイクル装置の室外機１０の筐体１に外部から取り付けられ、外側から覆うように配置されて保護するものである。以下、冷凍サイクル装置の室外機の梱包体１００を、単に梱包体１００と呼ぶ場合がある。
【００１１】  図１及び図２に示されるように、梱包体１００は、筐体１の底面側から筐体１を覆う底部緩衝材３と、底部緩衝材３の外側から筐体１の底部を覆う底部外装部材４と、筐体１の上側から筐体１を覆う上部緩衝材６と、上部緩衝材６の外側から天面を覆う上部外装部材７とを備える。また、底部外装部材４と上部外装部材７との間には、筐体１に設けられた開口部１１を覆うように熱交換器保護板５が配置されている。梱包体１００は、筐体１に組み付けられた状態でバンド８で結束されて固定される。実施の形態１において、開口部１１は、筐体１の天面と底面との間に位置する背面に形成されている。熱交換器１２は、筐体の開口部から筐体の外部に面して配置されている。
【００１２】  上部外装部材７及び底部外装部材４は、例えば段ボールを箱形に形成したものである。また、上部緩衝材６及び底部緩衝材３は、例えば発泡スチロールを成形して構成されている。熱交換器保護板５は、例えば段ボールで構成された矩形または略矩形の板材である。これらの梱包体１００の構成部材は、上記の材料のみに限定されるものではない。
【００１３】  図３は、実施の形態１に係る冷凍サイクル装置の室外機の梱包体１００の断面構造の説明図である。図３は、冷凍サイクル装置の室外機の筐体１の縦断面を示しており、熱交換器及び送風機が配置されている風路の通風方向に沿った断面を示している。なお、図３において、送風機は省略されて表示されている。図３に示されるように、梱包状態において熱交換器保護板５は、上部を上部緩衝材６と上部外装部材７で、下部を底部緩衝材３と底部外装部材４とで挟んで固定される。上部緩衝材６は、側面に凹み２０が形成されており、上部外装部材７の内側面との間に熱交換器保護板５が差し込めるだけの隙間が形成されるようになっている。底部緩衝材３と底部外装部材４の内側面との間にも熱交換器保護板５が差し込める隙間が形成されている。
【００１４】  図４は、実施の形態１に係る熱交換器保護板５の単品図である。熱交換器保護板５は、上側の端縁５６から上方に突出する上部挿入片５１と下側の端縁５７から下方に突出する下部挿入片５２が設けられている。なお、熱交換器保護板５の上側の端縁５６を第１端縁、下側の端縁５７を第２端縁と呼ぶ場合がある。第２端縁は、第１端縁に対向して形成されている。また、上側の端縁５６から突出した上部挿入片５１を、第１の挿入片と呼ぶ場合がある。冷凍サイクル装置の室外機の筐体１が包装されている状態においては、上部挿入片５１を上部緩衝材６と上部外装部材７とで挟み、下部挿入片５２を底部緩衝材３と底部外装部材４で挟むことにより、熱交換器保護板５を筐体１の開口部１１を覆う位置に固定する。
【００１５】  熱交換器保護板５は、筐体１の上下方向の途中から下端に至るまでの切り込み５５が設けられている。切り込み５５は、熱交換器保護板５を貫通し、下側の端縁５７から上側の端縁５６に向かって延びている。ここで、下側の端縁５７から上側の端縁５６に向かう方向を第１方向と呼ぶ。また、切り込み５５と熱交換器保護板５の左端５９の間には、製品挿入片６０が設けられている。また、製品挿入片６０を折り込みやすいように、切り込み５５の端部５４から熱交換器保護板５の左端５９までを結ぶ第１折り込み線５３ａ、切り込み５５の端部５４から熱交換器保護板５の右端５８までを結ぶ第２折り込み線５３ｂが設けられている。第１折り込み線５３ａ及び第２折り込み線５３ｂは、第１方向に交差する方向に設けられており、実施の形態１においては、第１方向に直交している。第１折り込み線５３ａ及び第２折り込み線５３ｂは、ミシン目状に形成されている。つまり、熱交換器保護板５の板面には複数の切り込みが直線状に並べて設けられており、第１折り込み線５３ａ及び第２折り込み線５３ｂを形成している。第１折り込み線５３ａ及び第２折り込み線５３ｂは、ミシン目状だけに限定されるものではなく、例えば直線状に形成され熱交換器保護板５を貫通しない切り込みであってもよい。または、第１折り込み線５３ａ及び第２折り込み線５３ｂは、板面に直線状に凹みを設ける等の熱交換器保護板５を折り曲げるための折り込み構造であってもよい。
【００１６】  図５は、実施の形態１に係る熱交換器保護板５の筐体１への取り付け手順を示す図である。図６は、実施の形態１に係る熱交換器保護板５を筐体１に取り付けた状態の正面図である。図７は、熱交換器保護板５を取り付けた状態の冷凍サイクル装置の室外機の筐体１の断面構造の説明図である。図８は、図７のＢ部の拡大図である。図９は、図７のＣ部の拡大図である。図７は、図６のＡ−Ａ部の断面を示している。図５、図６、及び図７に示される様に、熱交換器保護板５は、上部挿入片５１と製品挿入片６０とを筐体１の開口部１１の内側へ差し込んで取り付けられる。図６に示されるように、筐体１の開口部１１に製品挿入片６０を差し込む際には、第１折り込み線５３ａを用いて、製品挿入片６０を熱交換器１２側へ折り込む。下部挿入片５２は、第２折り込み線５３ｂを用いて、筐体１の開口部１１の外側に出して配置される。図８に示されるように、上部挿入片５１は天面パネル９と熱交換器１２との間の隙間に挿入される。また、図９に示される様に製品挿入片６０は、底板１３と熱交換器１２との間の隙間に挿入される。上部挿入片５１の先端から製品挿入片６０の先端までの幅は、開口部１１の上下方向の幅よりも大きくなっている。上部挿入片５１と製品挿入片６０とが開口部１１に挿入されると、熱交換器保護板５は、開口部１１に嵌って固定される。
【００１７】  以上に説明した構造により、梱包体１００の熱交換器保護板５は、単体で筐体１の開口部１１に固定することが出来るため、冷凍サイクル装置の室外機の据え付け作業時等において熱交換器１２を保護することが出来る。これにより、冷凍サイクル装置の室外機の熱交換器１２に物が接触して変形、破損するなどの不具合を抑制することができる。また、熱交換器保護板５は、上部緩衝材６、上部外装部材７、底部緩衝材３、及び底部外装部材４と共に製品出荷時の梱包体１００として冷凍サイクル装置の室外機の筐体１の開口部１１を覆い、熱交換器１２を保護し、かつ、梱包体１００を分解した後においても単品で熱交換器１２を保護するために使用することができる。
【００１８】  実施の形態２．  実施の形態２に係る冷凍サイクル装置の室外機の梱包体２００は、実施の形態１に係る冷凍サイクル装置の室外機の梱包体１００に対し、熱交換器保護板５の形状を変更したものである。実施の形態２に係る冷凍サイクル装置の室外機の梱包体２００においては、実施の形態１に対する変更点を中心に説明する。実施の形態２に係る冷凍サイクル装置の室外機の梱包体２００の各部については、各図面において同一の機能を有するものは実施の形態１の説明で使用した図面と同一の符号を付して表示するものとする。
【００１９】  図１０は、実施の形態２に係る熱交換器保護板５の単品図である。図１０に示されるように、熱交換器保護板２０５は、下側の端縁５７から突出する下部挿入片２５２ａ、２５２ｂが左右に分かれて形成されている。この２箇所の下部挿入片２５２ａ、２５２ｂのうち一方を第２の挿入片、他方を第３の挿入片と呼ぶ場合がある。そして、２つの下部挿入片２５２ａ、２５２ｂの間に切り込み２５５が２箇所設けられている。実施の形態２においては、２箇所の切り込み２５５ａ、２５５ｂの間に形成される舌状片が、製品挿入片２６０となっている。また、製品挿入片２６０を折り込みやすいように、２箇所の切り込み２５５ａ、２５５ｂの端部２５４同士を結ぶ第１折り込み線２５３ａが設けられている。
【００２０】  熱交換器保護板２０５は、図１０において左側に形成されている切り込み２５５ａの端部２５４ａから熱交換器保護板２０５の左端５９までを結ぶ第１折り込み線２５３ａが形成されている。また、熱交換器保護板２０５は、図１０において右側に形成されている切り込み２５５ｂの端部２５４ｂから熱交換器保護板２０５の右端５８までを結ぶ第２折り込み線２５３ｂが設けられている。第１折り込み線２５３ａ及び第２折り込み線２５３ｂは、ミシン目状に形成されている。つまり、熱交換器保護板２０５の板面には複数の切り込みが直線状に並べて設けられており、第１折り込み線２５３ａ及び第２折り込み線２５３ｂを形成している。第１折り込み線２５３ａ及び第２折り込み線２５３ｂは、ミシン目状だけに限定されるものではなく、例えば直線状に形成され熱交換器保護板２０５を貫通しない切り込みであってもよい。
【００２１】  図１１は、実施の形態２に係る熱交換器保護板２０５を筐体１に取り付けた状態の正面図である。実施の形態１と同じように、上部挿入片５１と製品挿入片２６０を製品へ差し込み、下部挿入片２５２を筐体１の外側に出すことで、筐体１への熱交換器保護板２０５の固定ができる。実施の形態２に係る熱交換器保護板２０５は、図１０及び図１１に示される様に、当該熱交換器保護板２０５の中央に配置された製品挿入片２６０と、左右に配置された２つの下部挿入片２５２ａ、２５２ｂにより筐体１の開口部１１の下端部にある底板１３を挟み込むことができる。そのため、熱交換器保護板２０５を、筐体１の開口部１１にバランスよく固定することができる。そのため、冷凍サイクル装置の室外機の据え付け作業時において、熱交換器保護板２０５がずれたり、外れたりするのを抑制することができる。
【００２２】  なお、熱交換器保護板２０５は、上部挿入片５１を上部緩衝材６と上部外装部材７との間に挟み込み、下部挿入片２５２ａ、２５２ｂのそれぞれを底部緩衝材３と底部外装部材４との間に挟み込むことにより、実施の形態１と同様に梱包体２００の一部として筐体１の開口部１１を覆い、熱交換器１２を保護することができる。
【符号の説明】
【００２３】  １  筐体、３  底部緩衝材、４  底部外装部材、５  熱交換器保護板、６  上部緩衝材、７  上部外装部材、８  バンド、９  天面パネル、１０  室外機、１１  開口部、１２  熱交換器、１３  底板、２０  凹み、５１  上部挿入片、５２  下部挿入片、５３ａ  折り込み線、５３ｂ  折り込み線、５４  端部、５５  切り込み、５６  端縁、５７  端縁、５８  右端、５９  左端、６０  製品挿入片、１００  梱包体、２００  梱包体、２０５  熱交換器保護板、２５２  下部挿入片、２５２ａ  下部挿入片、２５２ｂ  下部挿入片、２５３ａ  折り込み線、２５３ｂ  折り込み線、２５４  端部、２５４ａ  端部、２５４ｂ  端部、２５５  切り込み、２５５ａ  切り込み、２５５ｂ  切り込み、２６０  製品挿入片。
【図１】
0006942260.tif 000002
【図２】
0006942260.tif 000003
【図３】
0006942260.tif 000004
【図４】
0006942260.tif 000005
【図５】
0006942260.tif 000006
【図６】
0006942260.tif 000007
【図７】
0006942260.tif 000008
【図８】
0006942260.tif 000009
【図９】
0006942260.tif 000010
【図１０】
0006942260.tif 000011
【図１１】
0006942260.tif 000012